(57)【要約】【課題】  カーペットが敷設された室内テニスコートにおいて、使用頻度が高く、カーペットの表面パイルがすり減りやすい部分のカーペットを、容易に敷き替えることができ、しかも、パッチワーク模様にならないテニスコートを提供する。【解決手段】  テニスコートに敷設するテニスコート用カーペットを、従来、主に使用されていたロール状またはシート状の長尺カーペットではなくタイルカーペットとし、タイルカーペットの表面パイルがすり減る前に、使用頻度が高くカーペットの表面パイルが減りやすい部分のカーペットと、使用頻度が低くカーペットの表面パイルがほとんど減らない部分のカーペットとを、事前に組まれたローテーションに従い定期的に交換し敷き替えることで、テニスコート全体のタイルカーペットの表面の状態を良好に保つことができる。【選択図】図１
2007236875.tif 000002
【特許請求の範囲】
【請求項１】
床面にカーペットが敷設された室内テニスコートにおいて、カーペット表面のパイルがすり減る前に、使用頻度の高い部分に敷設されたカーペットと、使用頻度の低い部分に敷設されたカーペットとを、事前に組まれたローテーションに従い、容易に敷き替えることができることを特徴とするテニスコート用タイルカーペットを敷設したテニスコート。
【発明の詳細な説明】
【技術分野】
【０００１】  本発明は、室内テニスコートにおいて、カーペットの表面パイルがすり減る前に、使用頻度の高い部分に敷設されたカーペットと、使用頻度の低い部分に敷設されたカーペットとを、事前に組まれたローテーションに従い、容易に交換して敷き替えることで、テニスコート全体の表層の状態を良好に保つとともに、ボールのイレギュラーなバウンドが生じにくく、また、プレーヤーの靴が引っ掛かったりせず安全にプレーできる、テニスコート用タイルカーペットコートに関するものである。
【背景技術】
【０００２】  従来の室内テニスコートの床面に敷設されるカーペットは、主にロール状またはシート状の長尺カーペットであり、テニスコートの寸法にあわせて裁断し、全面接着工法で床面に固定されている。これは、カーペットの目地を少なくしてボールのイレギュラーなバウンドが生じにくくするとともに、プレーによるカーペットのズレを防ぐためである。また、タイルカーペットを使用したテニスコートも見かけるが、これは、費用を安くするために一般の事務所の床に貼るタイルカーペットを使用しており、テニスのプレー性能等を無視したコートといえる。
【発明の開示】
【発明が解決しようとする課題】
【０００３】  テニスコートの場合にはプレーする箇所が比較的に偏っており、使用頻度の高い部分では３〜４年でカーペット表面のパイルのすり減りが生じて、ボールのイレギュラーなバウンドが生じたり、プレーヤーの靴が引っ掛かったりしてプレーに影響を及ぼすという問題点があった。この時には、損傷箇所は一部分であっても、全面のカーペットを剥がして床面に残っている接着剤等を取りのぞき、新しいカーペットを敷設する全面改修を行う、あるいは、損傷箇所のカーペットのみを切断して剥がし、新しいカーペットを敷設する部分補修を行うという二通りの方法がとられている。その際に剥がされたカーペットは、剥がすときに無理にひっぱるため伸びてしまい、再利用ができず産業廃棄物として処理されている。【０００４】  また、カーペットの部分補修に際しては、もともと敷設されているカーペットと同じ色の同じ製品を取り寄せても、時間が経過して色褪せた既存のカーペットと新品のカーペットとで色合が異なってしまい、補修した部分がパッチワーク模様になるという問題もあり、良好なテニスコートを提供するとは言えないものがあった。
【課題を解決するための手段】
【０００５】  本発明は、上記課題を解決するために、つぎのような手段を採用するものである。テニスの場合にプレーヤーが主にプレーする範囲は、図２に示すベースライン５前後及びサービスライン８付近の使用頻度の高い部分１１、１２である。したがって、この範囲のカーペットを容易に剥がすことができ、その他の範囲のカーペットと敷き替えることができるようにタイル化されたカーペット（タイルカーペット）を床面に敷設したテニスコートを提供することである。【０００６】  従来、タイルカーペットにすると目地が多くなり、ボールのイレギュラーなバウンドが生じやすいと考えられていたが、当社で試験施工したタイルカーペットのテニスコートにおいては、とくにプレーに支障がでるという問題もなく、また施工後８年経過した今も、部分的な汚れや表面のすり減りがやや目立つ程度で、比較的良好な状態を保っている。【０００７】  タイルカーペットにすることで、カーペット表面のパイルがすり減った部分の補修作業を容易にするとともに、新しい製品を持ち込まずに同じテニスコート内のすり減っていない部分のタイルカーペットと交換して敷き替えることで、色違いによるパッチワーク模様にならないテニスコートを特徴とするものである。
【発明の効果】
【０００８】  請求項１記載の本発明のテニスコートは、上記記載のように、使用頻度の高い部分のタイルカーペットを、事前に組まれたローテーションに従い、使用頻度の低い部分のタイルカーペットと交換して敷き替えることによって、テニスコートのタイルカーペットの表面パイルの状態を常に良好に保つことができ、ボールのイレギュラーなバウンドが生じたり、プレーヤーの靴が引っ掛かったりしてプレーに影響を及ぼすことなく、快適で安全にプレーすることができ、なおかつ、長期間維持することができる。
【発明を実施するための最良の形態】
【０００９】  以下に、本発明の実施の形態を図面を参照して説明する。図１は本発明のテニスコートにおけるタイルカーペットの部分交換して敷き替える方法の一実施例を、テニスコート半面分で示した平面図、図２はテニスコート面において、一般に言われている使用頻度の高い部分を示す平面図である。【００１０】  タイルカーペットを定期的に交換して敷き替える方法の一例としては、図１の使用頻度の高い部分のタイルカーペット１と、これと同じ枚数の使用頻度の低い部分のタイルカーペット２を剥がし、タイルカーペットの裏面及び床面の接着剤等を取りのぞき、使用頻度の高い部分のタイルカーペット１を使用頻度の低い部分のタイルカーペット２の部分に、使用頻度の低い部分のタイルカーペット２を使用頻度の高い部分のタイルカーペット１の部分に、それぞれ交換して全面接着工法で敷き替える。これによって、プレーヤーが主にプレーする範囲のタイルカーペットの表面パイルは新品同様の状態になり、ボールのイレギュラーなバウンドが生じたり、プレーヤーの靴が引っ掛かったりしてプレーに影響を及ぼすことなく、快適で安全にプレーすることができる。【００１１】  その後さらに、使用頻度の高い部分のタイルカーペット１の表面パイルがすり減ってきた場合には、上記と同様に使用頻度の高い部分のタイルカーペット１と、これと同じ枚数の使用頻度の低い部分のタイルカーペット３と交換して全面接着工法で敷き替える。【００１２】  また、タイルカーペット表面のパイルがすり減る前に、事前に組まれたローテーションに従い、使用頻度の高い部分に敷設されたタイルカーペットと、その他の部分に敷設されたタイルカーペットとを定期的に交換して敷き替えることで、テニスコート全体のタイルカーペット表面の状態を良好に保つことができる。【００１３】  また、従来のカーペットコートを部分補修する場合には、剥がしたカーペットが産業廃棄物として処理されていたが、本発明のテニスコートでは、テニスコート内のタイルカーペットを順次交換して敷き替えるため、産業廃棄物として処理する必要がなく環境にやさしいテニスコートでもある。
【図面の簡単な説明】
【００１４】
【図１】  本発明のテニスコートにおけるタイルカーペットの部分交換して敷き替える方法の一実施形態をテニスコート半面分で示した平面図
【図２】  テニスコート面において、一般に言われている使用頻度の高い部分を示す平面図
【符号の説明】
【００１５】１  使用頻度の高い部分のタイルカーペット
２、３  使用頻度の低い部分のタイルカーペット
４  テニスコート
５  ベースライン
６  ダブルス用サイドライン
７  シングルス用サイドライン
８  サービスライン
９  センターライン
１０  テニスネット
１１、１２  使用頻度の高い部分
【図１】
2007236875.tif 000003
【図２】
2007236875.tif 000004